(57)【要約】【課題】トレーを引き出して後部を棚に支持させることで、商品の点検、補充、その他の管理を容易に行なえる商品陳列用トレーを提供すること。【解決手段】  トレーヘ商品を収納して、このトレーを棚に並べて商品の陳列を行なう商品陳列用トレーにおいて、上記棚４は、前部上側に棚４との間に隙間５を有するように後方へ延出する係止片６を取り付けられ、上記トレー１は、後部下側に上記隙間５へ入り込むように前方へ延出する係合片７を取り付けられて、これら係合片７または係止片６は、トレー１を引き出すとき係止片６または係合片７に当接してトレー１の引き出しを制止するストッパー８を付設されていること。【選択図】図１
2007061194.tif 000002
【特許請求の範囲】
【請求項１】
トレーヘ商品を収納して、このトレーを棚に並べて商品の陳列を行なう商品陳列用トレーにおいて、
上記棚は、前部上側に棚との間に隙間を有するように後方へ延出する係止片を取り付けられ、
上記トレーは、後部下側に上記隙間へ入り込むように前方へ延出する係合片を取り付けられ、
これら係合片または係止片は、トレーを引き出すとき係止片または係合片に当接してトレーの引き出しを制止するストッパーを付設されている
ことを特徴とする商品陳列用トレー。
【発明の詳細な説明】
【技術分野】
【０００１】
本発明は、商品を収容し棚へ乗せて商品の陳列を行なう商品陳列用トレーに関する。
【背景技術】
【０００２】
従来、トレーヘ商品を収納して、このトレーを棚へ乗せて商品を陳列する商品陳列用トレーにおいて、箱体の一側板を欠いた外箱に、同様に一側板を欠いた内箱をスライド自在に差し込んで、希望する差し込み度で係止手段を係合させると、トレーの容積を加減できる商品陳列用トレーは知られている。（例えば、特許文献1参照）
【特許文献１】特開２００３−３０４９５３号公報（第２頁、第１図）
【０００３】
しかしながら、上記トレーは、これを棚へ乗せて置いて、商品の補充や取り出しは、トレーと上段の棚との隙間へ手を差し入れて行なっている。このため、商品の補充や取り出しをしにくい上に、隙間分だけ棚の商品収容量が減少することになり、また、商品に関する表示をトレーではなく棚へ行っているので、表示がどうしても小さくなって見にくく、かつ、必要な情報も表示できないことが多くて、更に、表示とトレーが位置ずれして表示違いの問題を起すことがあった。
【発明の開示】
【発明が解決しようとする課題】
【０００４】
本発明は前記問題点を解消し、トレーを引き出して後部を棚に支持させることで、商品の点検、補充、その他の管理を容易に行なえる商品陳列用トレーを提供することをその課題とする。
【課題を解決するための手段】
【０００５】
前記課題を解決するため本発明に係る商品陳列用トレーは、下記の構成を採用することを特徴とする。
トレーヘ商品を収納して、このトレーを棚に並べて商品の陳列を行なう商品陳列用トレーにおいて、上記棚は、前部上側に棚との間に隙間を有するように後方へ延出する係止片を取り付けられ、上記トレーは、後部下側に上記隙間へ入り込むように前方へ延出する係合片を取り付けられて、これら係合片または係止片は、トレーを引き出すとき係止片または係合片に当接してトレーの引き出しを制止するストッパーを付設されていること。
【発明の効果】
【０００６】
請求項1の効果  トレーを引き出すと係合片が係止片へ係合して、トレーが後部を棚に支持されて他の部分は棚外に出た状態で安定する。従って、トレーの内部へ収容した商品の点検等が容易にできて、商品の補充は、先に収容されるものを前側へ寄せ、後のものを奥側へ収容して商品の先入れ、先出しができるようにすることも両手を使って簡単にできる。また、トレーが何らかの原因で滑り出すことがあっても、転落することなく棚に支持されるので、商品の散乱や損傷を生ずることもない。更に、棚から引き出して商品を収容するトレーは、商品とその上段の棚との隙間は僅かで足りるので、棚数を増して商品の収容量増加を図ることもできる。
【発明を実施するための最良の形態】
【０００７】
以下に本発明に係る商品陳列用トレーの実施形態を図面に基づいて説明する。
【実施例１】
【０００８】
図１において符号１は、商品陳列用トレーを示す。このトレー１は、容体２の内部へ商品３を収納して棚４に並べることで商品３の陳列を行なうものであって、上記棚４は、前部上側に棚面との間に隙間５を有して後方へ延出する係止片６を取り付けられ、上記トレー１は、後部下側に上記隙間５へ入り込むように前方へ延出する係合片７を取り付けられて、これら係合片７または係止片６にトレー１を棚４から引き出すとき係止片６または係合片７へ係合してトレー１の引き出しを制止するストッパー８を付設する構成としたものである。
【０００９】
上記トレー１の容体２は、合成樹脂等で図２に示す通り底面２ａの四周に、前後の側壁２ｂ、２ｃと左右の側壁２ｄ、２ｅを立設した箱形とし、この容体２の前の側壁２ｂの外側には、商品３の必要事項を表示したカード９を交換可能に支持するカードホルダー１０を、前の側壁２ｂの化粧材を兼ねるように取り付けてある。
【００１０】
上記棚４へ取り付けられる係止片６は、棚４の巾方向に配置する場合は、棚４の全巾、若しくは巾の一部分の長さに形成して、その裏面と棚４の表面との間に隙間５を形成するため、図３（ａ）に示す通りその両端部若しくは中間部の適当な位置を棚４との間に複数のスペーサ１１を挟んでねじ１２等で棚４へ固定する。こうすると、トレー１を係合片７が係止片６へ係合するまで引き出すと、係止片６が係合片７を受け止めて、トレー１が後側の一部分を除いて棚４外へ引き出されても転落することなく棚４に支持されるようにするものであって、係合片７と係止片６の係合が十分に行われたときトレー１の引出しを止めさせるストッパー８は、係止片６の前端の下側へ係合片７の前端へ当接するように取り付ける。
【００１１】
また、上記係止片６は、必要に応じて図４に示す通り後側に延長部６ａを設け、この延長部６ａの両側にガイド片１３を立設してトレー１の移動を案内させるようにすることもできる。
【００１２】
上記トレー１へ取り付けられる係合片７は、トレー１を新造する場合は、トレー１と一体成型することができるが、既成のトレー１の場合は図３（ｂ）に示す通り後側上部側にトレー１への取付部１４を設けるものであって、トレー１の全巾、若しくは巾の一部分の長さに形成して、この取付部１４をトレー１の引き出しに伴い係合片７が棚４と係止片６との隙間５へ図６に示す通り入り込むように容体２の背面へ固定する。そして、係合片７の上記スペーサ１１に対応する部分には、スペーサ１１が入り込めるように切込１５を形成する。なお、係合片７の取付部１４はトレー１の引き出しに伴い係止片６の後端に当接するので、これをストッパー８に利用すれば、係止片６側にストッパー８を設けなくてもよくなる。
【００１３】
上記容体２へ取り付けられるカードホルダー１０は、図２に示す通り容体２の前の側壁２ｂの上端部より前方へ斜め下向きに張り出して、内部に表示カード９を抜き差し可能としたスリット１６を上方へ開口するように設けられた主体１０ａと、この主体１０ａの上部から容体２の前の側壁２ａに沿って垂下し、後部に開口が下へ向くスリット１７と、開口が上へ向くスリット１８とを前記の通り設けた取付部１０ｂと、この取付部１０ｂと前記主体１０ａとを上下の中間付近で接合する連結片１０ｃとで構成される。
【００１４】
また、カードホルダー１０は、図６、図７に示す通り前記取付部１０ｂの下側にトレー１を棚４へ収容したとき、棚４の前部裏側に設けた受部１９へ係合して、トレー１の引き出しを制止するストッパー２０を設ける。このストッパー２０は、弾性付与部２１と、受部１９の後縁に係合する係合部２２と、この係合部２２の後側に下り勾配に形成した斜面部２３と、斜面部２３の後端より一旦、前側へ曲げ返して後方へ反りながら下降させることにより引金形をなすようにした操作部２４とで構成される。
【００１５】
上記、ストッパー２０は、商品２の点検や補充等を行なうためにトレー１を引き出すときは、操作部２４を摘んで引き下げると、ストッパー２０が反って係合部２２を棚４の受部１９から外してトレー１の制止を解くため、この状態ではトレー１を棚４から引き出すことができる。
【００１６】
上記商品陳列用トレー１は、容体２内へ商品３を収容して、カードホルダー１０の主部１０ａに設けたスリット１６へ、商品３に関する価格、産地、賞味期限、注意事項、その他の必要事項を大きく明確に表示した表示カード９を差し込むと、トレー１の前面に表示が分かり易く掲出されるので、収容した商品２に関する情報が明確に客に伝えられるようになる。
【００１７】
そこで、トレー１を係合片７が棚４の係止片６へ当らない程度に上げて棚４へ挿し入れて棚４を定位置に収まらせると、ストッパー２０の係合部２２が棚４に設けた受部１９へ図５に示す通り係合して、トレー１を棚４に固定の状態とする。従って、商品２の取り出しは、カードホルダー１０と上段の棚４との間より前側へしかできないので、商品２の先入と先出しが確実に行なわれて、しかも、ストッパー２０で制止されるトレー１は、地震等による振動で棚４から滑り出したり、子供の悪戯で棚４から引き落とされたりすることがなくなり、これらに原因する商品の散乱や損傷が防止される。
【００１８】
また、商品３の点検や補充等のためにトレー１を引き出すときは、棚４の下へ手を入れてストッパー２０の操作部２４を引き下げると、ストッパー２０が変形して係合部２２を棚４の受部１９より外れさせ、トレー１の制止を解除するから、トレー１を引っ張るとトレー１は棚４より引き出されて、トレー１の後部が棚４から外れそうになると、係合片７が係止片６と棚４との隙間５へ図６に示す通り入り込んで、先端がストッパー８に当たると止り、トレー１の引き出しを制止するとともに、係止片６で上側への移動を抑えるため、トレー１はその後端部を除く大部分が棚４の外へ出た状態で安定していて、内部の商品３の点検や商品の移動、補充、その他を両手を使って行なえるようになる。
【００１９】
図７（ａ）（ｂ）は、上記係止片６及び係合片７の変形例を示すものであって、図７（ａ）に示す係止片６は、奥行方向に一対を配置して各々の裏面と棚４の上面との間に隙間５を形成するため、一連もしく離隔する複数のスペーサ１１を棚４との間に挟んで内側をねじ１２等で棚４へ固定し、前端の下側に係合片７を当接させるストッパー８を設ける。こうすると、係止片６を棚４の裏板(図面省略)との間に係合片７よりも多少長目の隙間２５ができる程度の長いものとすることができるので、係止片６をトレー１のガイドに利用して挿入、引出しを円滑に行なわせるとともに、トレー１を引き出すとき係合片７が直ぐに係止片６へ係合して、引き出しの途中でも係止片６が係合片７を抑えてトレー１の転落を生じさせないようにすることができる。
【００２０】
図７（ｂ）に示す係合片７は、係止片６と同様に一対を用いるものであって、係止片６の裏面と棚４との隙間２５へ入り込むようにトレー１の後部から前方へと延出されて、トレー１の側縁部へ取付部１４によって取り付けられることで、トレー１を引き出すと直ぐにこの係合片７と上記係止片６との係合が行なわれて、上記の通りトレー１の挿入、引出のガイド作用と、引出しの途中でも働く転落防止作用が得られる。
【産業上の利用可能性】
【００２１】
スーパーストア・コンビニエンスストア等の商品の陳列用に利用できる。
【図面の簡単な説明】
【００２２】
【図１】商品陳列用トレーを示す斜視図である。
【図２】同上トレーを構成する容体とカードホルダーの斜視図である。
【図３】（ａ）（ｂ）は、棚へ取り付ける係止片とトレーへ取り付ける係合片を示す斜視図である。
【図４】棚へ取り付ける係止片の一部分の変形例を示す斜視図である。
【図５】トレーを棚へ収容した状態を示す側面図である。
【図６】引き出したトレーが後部だけで棚に安定して支持される状態を示す側面図である。
【図７】（ａ）（ｂ）は、棚へ取り付ける係止片と、トレーへ取り付ける係合片の変形例を示す斜視図である。
【符号の説明】
【００２３】
１  商品陳列用トレー
２  容体
３  商品
４  棚
５  隙間
６  係止片
７  係合片
８  ストッパー
【図１】
2007061194.tif 000003
【図２】
2007061194.tif 000004
【図３】
2007061194.tif 000005
【図４】
2007061194.tif 000006
【図５】
2007061194.tif 000007
【図６】
2007061194.tif 000008
【図７】
2007061194.tif 000009